(57)【要約】【課題】バッテリーパックを筐体に強固に固定することができる端末装置を提供することを課題とする。【解決手段】端末装置は、第１の係合部を有する筐体（２０１）と、前記筐体に収納されるバッテリーパック（２０２）と、前記バッテリーパックを覆うように、前記筐体に密着される防水シート（２０３）と、前記バッテリーパックの第１の側面に設けられる板バネ（２０５）と、前記板バネに設けられ、前記筐体の前記第１の係合部に係合される第１の被係合部と、前記板バネに設けられ、接着部材により前記防水シートに接着されるフランジ部とを有する。【選択図】図２
2018107081.tif 000002
【特許請求の範囲】
【請求項１】
第１の係合部を有する筐体と、
前記筐体に収納されるバッテリーパックと、
前記バッテリーパックを覆うように、前記筐体に密着される防水シートと、
前記バッテリーパックの第１の側面に設けられる板バネと、
前記板バネに設けられ、前記筐体の前記第１の係合部に係合される第１の被係合部と、
前記板バネに設けられ、接着部材により前記防水シートに接着されるフランジ部と
を有する端末装置。
【請求項２】
前記接着部材は、両面テープである請求項１に記載の端末装置。
【請求項３】
前記防水シートは、共通の両面テープにより、前記フランジ部及び前記筐体に接着される請求項１又は２に記載の端末装置。
【請求項４】
さらに、前記バッテリーパックの前記第１の側面に対向する第２の側面に設けられる第２の被係合部とを有し、
前記筐体は、第２の係合部を有し、
前記第２の被係合部は、前記筐体の前記第２の係合部に係合される請求項１乃至３のいずれか１項に記載の端末装置。
【請求項５】
前記バッテリーパックの前記第１の側面には、複数の前記板バネが設けられ、
前記複数の板バネは、それぞれ、複数の前記第１の被係合部と、複数の前記フランジ部を有し、
前記複数の第１の被係合部は、それぞれ、前記筐体の前記第１の係合部に係合され、
前記複数のフランジ部は、それぞれ、接着部材により前記防水シートに接着される請求項１乃至４のいずれか１項に記載の端末装置。
【発明の詳細な説明】
【技術分野】
【０００１】
本発明は、端末装置に関する。
【背景技術】
【０００２】
筐体の突出部に電池の突起部を係合させることにより、電池を収納する電子機器が知られている（特許文献１参照）。また、充電池を両面テープで表示部側及び回路基板側に固定する端末装置が知られている（特許文献２参照）。
【先行技術文献】
【特許文献】
【０００３】
【特許文献１】特開２０１１−１８１３４７号公報
【特許文献２】特開２０１４−１１６７４８号公報
【発明の概要】
【発明が解決しようとする課題】
【０００４】
しかし、電池の突起部で係合するのみでは、電子機器が落下の衝撃を受けた場合に、電池が筐体から外れてしまうことがある。また、充電池は、充電池を薄型にするために、内部の充電池セルの表面を薄いフィルムで覆うだけのものがある。この場合に、充電池を両面テープで固定した場合、充電池の交換のため、両面テープを剥がす際に、両面テープと共に充電池の表面のフィルムが剥がれ、充電池セルが露出してしまい、フィルムが破損してしまう課題がある。
【０００５】
１つの側面では、本発明の目的は、バッテリーパックを筐体に強固に固定することができる端末装置を提供することである。
【課題を解決するための手段】
【０００６】
端末装置は、第１の係合部を有する筐体と、前記筐体に収納されるバッテリーパックと、前記バッテリーパックを覆うように、前記筐体に密着される防水シートと、前記バッテリーパックの第１の側面に設けられる板バネと、前記板バネに設けられ、前記筐体の前記第１の係合部に係合される第１の被係合部と、前記板バネに設けられ、接着部材により前記防水シートに接着されるフランジ部とを有する。
【発明の効果】
【０００７】
１つの側面では、バッテリーパックを筐体に強固に固定することができる。
【図面の簡単な説明】
【０００８】
【図１】図１（Ａ）は本実施形態による端末装置の構成例を示す六面図であり、図１（Ｂ）は本実施形態による端末装置の構成例を示す斜視図である。
【図２】図２は、端末装置の内部の構成例を示す分解斜視図である。
【図３】図３は、バッテリーパックが収納された筐体を示す図である。
【図４】図４（Ａ）は板バネが設けられた第１の側面を示すバッテリーパックの斜視図であり、図４（Ｂ）は第２の被係合部が設けられた第２の側面を示すバッテリーパックの斜視図であり、図４（Ｃ）はバッテリーパックの板バネの構成例を示す図である。
【図５】図５は、バッテリーパックの構成例を示す六面図である。
【図６】図６は、バッテリーパックの構成例を示す分解斜視図である。
【図７】図７（Ａ）〜（Ｄ）は、端末装置の断面図である。
【発明を実施するための形態】
【０００９】
図１（Ａ）は本実施形態による端末装置１００の構成例を示す六面図であり、図１（Ｂ）は本実施形態による端末装置１００の構成例を示す斜視図である。端末装置１００は、例えばタブレット端末装置であり、表面にタッチスクリーンを有する。端末装置１００のＸ−Ｘ線に沿った断面図及びＹ−Ｙ線に沿った断面図は、後に図７（Ａ）〜（Ｄ）を参照しながら説明する。
【００１０】
図２は、端末装置１００の内部の構成例を示す分解斜視図である。端末装置１００は、筐体２０１と、バッテリーパック２０２と、防水シート２０３とを有する。バッテリーパック２０２は、複数（２個）の板バネ２０５を有し、筐体２０１に収納される。バッテリーパック２０２の板バネ２０５の第１の被係合部が筐体２０１の第１の係合部に係合されることにより、バッテリーパック２０２は筐体２０１に固定される。板バネ２０５の第１の被係合部及び筐体２０１の第１の係合部については、後に図７（Ｂ）を参照しながら説明する。
【００１１】
図３は、バッテリーパック２０２が収納された筐体２０１を示す図である。バッテリーパック２０２は、筐体２０１の電子部品に電源電圧を供給する。バッテリーパック２０２が筐体２０１に収納された後、ハッチで示す両面テープ（接着部材）２０４は、筐体２０１及び板バネ２０５のフランジ部（上面部）に貼り付けられる。その後、図２の防水シート２０３は、共通の両面テープ２０４により、筐体２０１及び板バネ２０５のフランジ部に接着される。これにより、防水シート２０３は、バッテリーパック２０２を覆うように、筐体２０１に密着し、水の浸入を防止する。筐体２０１は、両面テープ２０４により、防水シート２０３に接着されることにより、バッテリーパック２０２を防水することができる。また、板バネ２０５は、両面テープ２０４により、防水シート２０３に接着されることにより、防水シート２０３に固定される。端末装置１００が落下等の衝撃を受けても、板バネ２０５が固定されているので、板バネ２０５の第１の被係合部及び筐体２０１の第１の係合部の係合が外れることを防止できる。その詳細は、後に図７（Ｂ）を参照しながら説明する。
【００１２】
なお、防水シート２０３の裏面の外周部にも両面テープを貼ってもよい。また、筐体２０１に貼る両面テープ２０４と、板バネ２０５のフランジ部に貼る両面テープ２０４は、一体化した共通の両面テープに限定されない。両者の両面テープ２０４は、分離していてもよい。また、両面テープ２０４の代わりに、両面テープ以外の接着部材を用いてもよい。ただし、バッテリーパック２０２の交換のため、バッテリーパック２０２を筐体２０１から取り外し可能なように、剥がすことが可能な接着部材が好ましい。
【００１３】
図４（Ａ）は、板バネ２０５が設けられた第１の側面を示すバッテリーパック２０２の斜視図である。図４（Ｂ）は、第２の被係合部４０２が設けられた第２の側面を示すバッテリーパック２０２の斜視図である。図４（Ｃ）は、バッテリーパック２０２の板バネ２０５の構成例を示す図である。図５は、バッテリーパック２０２の構成例を示す六面図である。図６は、バッテリーパック２０２の構成例を示す分解斜視図である。
【００１４】
図６に示すように、バッテリーパック２０２は、バッテリーパック本体６０１と、２枚の粘着シート６０２とを有する。バッテリーパック本体６０１は、バッテリーセル６０３と、バッテリーセル６０３が嵌合される樹脂フレーム６０４を有する。２枚の粘着シート６０２は、それぞれ、バッテリーパック本体６０１の表面及び裏面に貼り付けられる。
【００１５】
バッテリーパック２０２の第１の側面には、２個の板バネ２０５が設けられる。２個の板バネ２０５の各々は、図４（Ｃ）に示すように、フランジ部４１１及び第１の被係合部４１２を有し、図４（Ｃ）の水平方向に対して付勢力（弾性力）を有する。板バネ２０５は、例えば樹脂である。両面テープ２０４は、フランジ部４１１の上面に貼り付けられる。第１の被係合部４１２は、突起部であり、筐体２０１の第１の係合部に係合される。その詳細は、後に図７（Ｂ）を参照しながら説明する。
【００１６】
バッテリーパック２０２の第２の側面には、３個の第２の被係合部４０２と、２個のフランジ部４０１とが設けられる。第２の側面は、第１の側面に対向する面である。フランジ部４０１及び第２の被係合部４０２は、例えば樹脂である。フランジ部４０１は、図３に示すように、筐体２０１の上面に接触する。第２の被係合部４０２は、筐体２０１の第２の係合部に係合される。その詳細は、後に図７（Ｄ）を参照しながら説明する。
【００１７】
バッテリーパック２０２の第３の側面には、３個のフランジ部４０１が設けられる。第３の側面は、第１の側面に隣接する面である。バッテリーパック２０２の第４の側面にも、３個のフランジ部４０１が設けられる。第４の側面は、第３の側面に対向する面である。フランジ部４０１は、図３に示すように、筐体２０１の上面に接触する。
【００１８】
図７（Ａ）は、図１（Ａ）の端末装置１００のＸ−Ｘ線に沿った断面図である。端末装置１００は、筐体２０１及びバッテリーパック２０２を有する。図７（Ｂ）は、図７（Ａ）の領域７０１の拡大図である。板バネ２０５は、フランジ部４１１及び第１の被係合部４１２を有し、バッテリーパック２０２の第１の側面に設けられる。第１の被係合部４１２は、突起部である。筐体２０１は、第１の係合部７０２を有する。第１の係合部７０２は、突出部である。板バネ２０５は、図７（Ｂ）の右方向に付勢力を与え、バッテリーパック２０２の第１の被係合部４１２は、筐体２０１の第１の係合部７０２に係合される。バッテリーパック２０２の第１の側面には、２個の板バネ２０５が設けられる。２個の板バネ２０５は、それぞれ、２個のフランジ部４１１と、２個の第１の被係合部４１２とを有する。筐体２０１は、１個又は２個の第１の係合部７０２を有する。２個の第１の被係合部４１２は、第１の係合部７０２に係合される。バッテリーパック２０２の２個のフランジ部４１１は、それぞれ、両面テープ２０４により防水シート２０３に接着及び固定される。これにより、第１の被係合部４１２と第１の係合部７０２の係合が外れることを防止できる。
【００１９】
図７（Ｃ）は、図１（Ａ）の端末装置１００のＹ−Ｙ線に沿った断面図である。端末装置１００は、筐体２０１及びバッテリーパック２０２を有する。図７（Ｄ）は、図７（Ｃ）の領域７０３の拡大図である。第２の被係合部４０２は、バッテリーパック２０２の第２の側面に設けられる。第２の被係合部４０２は、突起部である。筐体２０１は、第２の係合部７０４を有する。第２の係合部７０４は、突出部である。バッテリーパック２０２の第２の被係合部４０２は、筐体２０１の第２の係合部７０４に係合される。バッテリーパック２０２の第２の側面には、３個の第２の被係合部４０２が設けられる。筐体２０１は、１個又は３個の第２の係合部７０４を有する。３個の被係合部４０２は、それぞれ、筐体２０１の第２の係合部７０４に係合される。
【００２０】
以上のように、バッテリーパック２０２は、図７（Ｂ）の第１の側面では、第１の被係合部４１２が筐体２０１の第１の係合部７０２に係合され、図７（Ｄ）の第２の側面では、第２の被係合部４０２が筐体２０１の第２の係合部７０４に係合される。これにより、バッテリーパック２０２は、筐体２０１に固定される。
【００２１】
次に、バッテリーパック２０２を筐体２０１に取り付ける方法を説明する。バッテリーパック２０２の第２の側面を斜め下にし、バッテリーパック２０２の第１の側面を斜め上にし、バッテリーパック２０２の第２の側面のフランジ部４０１を筐体２０１の上面に接触させる。次に、バッテリーパック２０２の第２の側面の第２の被係合部４０２を、筐体２０１の第２の係合部７０４に係合させる。次に、バッテリーパック２０２の第１の側面を下方に移動させ、バッテリーパック２０２の第１の側面の板バネ２０５を筐体２０１に接触させる。すると、板バネ２０５の第１の被係合部４１２の下面が筐体２０１の第１の係合部７０２の上面に衝突し、板バネ２０５は、弾性力により、図７（Ｂ）の左方向に変形する。バッテリーパック２０２の第１の側面を下方に移動させ続けると、図７（Ｂ）に示すように、バッテリーパック２０２の第１の被係合部４１２は、筐体２０１の第１の係合部７０２に係合される。この際、板バネ２０５は、付勢力により、図７（Ｂ）の右方向に移動し、図７（Ｂ）の位置を維持する。
【００２２】
次に、図３に示すように、両面テープ２０４は、筐体２０１及び板バネ２０５のフランジ部４１１の上面に貼り付けられる。次に、図２の防水シート２０３は、両面テープ２０４を介して、筐体２０１及び板バネ２０５のフランジ部４１１に接着される。
【００２３】
次に、板バネ２０５のフランジ部４１１が両面テープ２０４により防水シート２０３に接着されることによる効果を説明する。まず、フランジ部４１１が防水シート２０３に接着されない場合の課題を説明する。端末装置１００が落下等の衝撃を受けると、バッテリーパック２０２の重量により、板バネ２０５は、図７（Ｂ）の左方向の力を受け、図７（Ｂ）の左方向に変形してしまう。その結果、第１の被係合部４１２と第１の係合部７０２の係合が外れてしまい、バッテリーパック２０２は、筐体２０１から外れてしまう虞がある。そこで、本実施形態では、板バネ２０５のフランジ部４１１は、両面テープ２０４により、防水シート２０３に接着される。端末装置１００が落下した場合、板バネ２０５のフランジ部４１１は、防水シート２０３に固定されているので、板バネ２０５の変形が抑制される。これにより、第１の被係合部４１２と第１の係合部７０２の係合が外れることを防止できる。このように、板バネ２０５のフランジ部４１１を防水シート２０３に接着させることにより、バッテリーパック２０２は筐体２０１に強固に固定される。フランジ部４１１は、接着面積を広くすることにより、接着力を向上させることができる。
【００２４】
次に、バッテリーパック２０２の交換のため、バッテリーパック２０２を筐体２０１から取り外す方法を説明する。まず、防水シート２０３を筐体２０１から剥がす。次に、板バネ２０５を図７（Ｂ）の左方向に変形させながら、バッテリーパック２０２の第１の側面を持ち上げる。これにより、第１の被係合部４１２と第１の係合部７０２の係合が外れ、バッテリーパック２０２を筐体２０１から取り外すことができる。
【００２５】
なお、両面テープ２０４をバッテリーパック２０２の上面全体を覆うように貼り付け、バッテリーパック２０２の全体を防水シート２０３に接着してもよい。ただし、両面テープ２０４をバッテリーパック２０２の上面全体を覆うように貼り付けた場合、以下の課題が存在する。その場合、バッテリーパック２０２の交換のため、防水シート２０３をバッテリーパック２０２から剥がす際に、防水シート２０３と共に、図６に示すように、粘着シート６０２がバッテリーパック本体６０１から剥がれ、粘着シート６０２が破損し、作業性が悪化し、剥がす工数が増加してしまう課題が存在する。したがって、図３に示すように、バッテリーパック２０２の全体ではなく、板バネ２０５のフランジ部４１１にのみ両面テープ２０４を貼り付けることが好ましい。
【００２６】
次に、板バネ２０５を設けることの効果を説明する。バッテリーパック２０２の第１の側面を、板バネ２０５の代わりに、ねじで筐体に固定する方法が考えられる。しかし、バッテリーパック２０２と筐体２０１との間の隙間をなくすことはできない。そのため、端末装置１００の落下を繰り返すと、この隙間分、バッテリーパック２０２が筐体２０１内で移動可能になる。バッテリーパック２０２が移動すると、バッテリーパック２０２自体に大きな力が掛かり、バッテリーパック２０２が破損する虞がある。本実施形態では、板バネ２０５を設け、板バネ２０５の付勢力により、バッテリーパック２０２が筐体２０１内で移動可能な隙間を抑制することができる。これにより、本実施形態は、バッテリーパック２０２の移動を抑制し、バッテリーパック２０２の破損を防止することができる。また、板バネ２０５を設けることにより、バッテリーパック２０２と筐体２０１との間にゴム等の衝撃緩和部材を設ける必要がなくなる。また、本実施形態は、ねじを使用しないので、ねじ及びねじを取り外しするための工具が不要になる。また、本実施形態は、ねじ留めの工程が不要になるため、組み立て及びリペア性が向上する。
【００２７】
また、板バネ２０５を設けずに、バッテリーパック２０２の上面全体を両面テープ２０４により防水シート２０３に接着する方法が考えられる。しかし、バッテリーパック２０２は重いため、板バネ２０５による係合なしで、バッテリーパック２０２を筐体２０１に固定することは困難である。
【００２８】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００２９】
１００  端末装置
２０１  筐体
２０２  バッテリーパック
２０３  防水シート
２０４  両面テープ
２０５  板バネ
４０２  第２の被係合部
４１１  フランジ部
４１２  第１の被係合部
７０２  第１の係合部
７０４  第２の係合部
【図１】
2018107081.tif 000003
【図２】
2018107081.tif 000004
【図３】
2018107081.tif 000005
【図４】
2018107081.tif 000006
【図５】
2018107081.tif 000007
【図６】
2018107081.tif 000008
【図７】
2018107081.tif 000009